(57)【特許請求の範囲】
【請求項１】
外壁開口部に設けられる建具の屋外側を覆って当該開口部を遮蔽可能な遮蔽装置であって、
前記遮蔽装置は、外壁に固定される遮蔽枠体と、この遮蔽枠体に開閉可能に支持される遮蔽面材と、開放した遮蔽面材を収納する収納箱体とを備え、
前記遮蔽枠体のうち互いに対向する一対の枠材は、それらの一端部が前記収納箱体に接続されるとともに、前記遮蔽面材を開閉方向に案内する案内レールを有して構成され、当該案内レールの一端部は、前記収納箱体の内部に挿入して設けられ、
前記収納箱体は、前記遮蔽面材を挿通させる挿通口を有して全体箱状に形成されるとともに、前記一対の枠材と接続される一対の端板を有して構成され、
前記端板の内面には、前記収納箱体に受け入れた前記遮蔽面材を案内する案内板が設けられ、この案内板には、前記案内レールの一端部に接近して延びる延出片が形成され、この延出片に熱膨張性耐火材が取り付けられている遮蔽装置。
【請求項２】
前記案内板は、見込み方向に沿った案内面を有し、前記延出片は、前記案内面から見付け方向外側に屈曲するとともに前記挿通口に向かって延びて形成されている請求項１に記載の遮蔽装置。
【請求項３】
前記延出片と前記案内レールの一端部との間には隙間が形成されている請求項１または請求項２に記載の遮蔽装置。
【請求項４】
前記案内板が鋼板から形成され、前記延出片が一体成形されている請求項１から請求項３のいずれかに記載の遮蔽装置。
【請求項５】
外壁開口部に設けられる枠体と、この枠体に支持される面材とを備え、請求項１から請求項４のいずれかに記載の遮蔽装置が屋外側に設けられた建具。
【発明の詳細な説明】
【技術分野】
【０００１】
本発明は、遮蔽装置および建具に関し、詳しくは、窓等の建具の屋外側を覆って開口部を遮蔽可能な遮蔽装置、この遮蔽装置を備えた建具に関する。
【背景技術】
【０００２】
従来、窓等の建具に設けられてその屋外側を覆うシャッター等の遮蔽装置が広く利用されている。
公知のシャッターは、例えば、シャッターカーテン（遮蔽面材）を開閉案内するガイドレール（案内レール）を有した縦枠（枠材）と、遮蔽面材を収容可能なシャッターケース（収納箱体）とを備えて構成されている。収納箱体は、前面板および側面板を有して下方に開口した箱状に形成され、側面板の内面には、遮蔽面材の側端縁に摺接して横ずれを防止するための横ずれ防止部材が設けられることがある。
【発明の概要】
【発明が解決しようとする課題】
【０００３】
ところで、従来の遮蔽装置では、側面板や横ずれ防止部材が樹脂製であったり、アルミ形材製の案内レールが利用されたりすることもあり、そのような遮蔽装置では、火災の際に樹脂製やアルミ形材製の部材が熱によって溶融する可能性がある。このように一部の構成部材が溶融してしまうと、遮蔽面材を閉鎖していたとしても収納箱体との間に隙間が生じ、所定の防火性能が確保できない可能性がある。なお、側面板や横ずれ防止部材、案内レールの全部または一部として融点の高い鋼製部材を利用することも考えられるものの、加工性や組立性が低下して製造コストが増大するという不都合が生じる。
【０００４】
本発明の目的は、比較的安価かつ簡便な構造によって防火性能を確実に向上させることができる遮蔽装置および建具を提供することにある。
【課題を解決するための手段】
【０００５】
本発明の遮蔽装置は、外壁開口部に設けられる建具の屋外側を覆って当該開口部を遮蔽可能な遮蔽装置であって、前記遮蔽装置は、外壁に固定される遮蔽枠体と、この遮蔽枠体に開閉可能に支持される遮蔽面材と、開放した遮蔽面材を収納する収納箱体とを備え、前記遮蔽枠体のうち互いに対向する一対の枠材は、それらの一端部が前記収納箱体に接続されるとともに、前記遮蔽面材を開閉方向に案内する案内レールを有して構成され、当該案内レールの一端部は、前記収納箱体の内部に挿入して設けられ、前記収納箱体は、前記遮蔽面材を挿通させる挿通口を有して全体箱状に形成されるとともに、前記一対の枠材と接続される一対の端板を有して構成され、前記端板の内面には、前記収納箱体に受け入れた前記遮蔽面材を案内する案内板が設けられ、この案内板には、前記案内レールの一端部に接近して延びる延出片が形成され、この延出片に熱膨張性耐火材が取り付けられていることを特徴とする。
【０００６】
ここで、遮蔽面材としては、複数のシャッタースラットが上下に連結されて上方に巻取り収容可能に構成されたものであってもよく、また上方に折畳み収容可能に構成されたものでもよい。さらに、遮蔽体としては、複数のスラットがリンクを介して上下に連結されて上方に巻取り収容可能または重ね合わせ収容可能に構成されものであってもよい。さらに、遮蔽面材としては、上下に開閉可能に設けられたものに限らず、左右に開閉可能に設けられたものでもよく、例えば、収納箱体としての戸袋に収納される雨戸などであってもよい。
【０００７】
以上の本発明によれば、端板の内面に案内板を設け、この案内板に形成した延出片を案内レールの一端部に接近して位置させるとともに、この延出片に熱膨張性耐火材を取り付けておくことで、火災の熱で熱膨張した耐火材によって遮蔽面材と収納箱体との隙間を塞ぐことができる。従って、端板や案内板の一部、あるいは案内レールの一端部が熱で溶融したとしても、これらの部材が溶融して欠損した部分を耐火材で閉塞できるので、端板近傍における収納箱体の内部への火炎の進入を防止することでき、端板や案内板、案内レールの全てを融点の高い材料から形成しなくても、確実に耐火性能を向上させることができる。
【０００８】
この際、本発明の遮蔽装置では、前記案内板は、見込み方向に沿った案内面を有し、前記延出片は、前記案内面から見付け方向外側に屈曲するとともに前記挿通口に向かって延びて形成されていることが好ましい。
このような構成によれば、案内面よりも見付け方向外側に屈曲させて延出片を形成したことで、延出片が遮蔽面材に干渉することを防止しつつ、延出片を挿通口に向かって延ばして案内レールの一端部に接近させることができる。従って、熱膨張性耐火材を取り付ける延出片の位置を挿通口に近付けることによって、端板近傍における収納箱体の内部への火炎の進入を最も効果的に防止できる位置で遮蔽面材との隙間を耐火材で塞ぐことができ、耐火性能をさらに向上させることができる。
【０００９】
また、本発明の遮蔽装置では、前記延出片と前記案内レールの一端部との間には隙間が形成されていることが好ましい。
このような構成によれば、延出片と案内レールの一端部とに隙間を形成することで、延出片と遮蔽面材との干渉を確実に防止でき、常時における遮蔽面材の開閉に際して延出片や耐火材が邪魔になることがなく、利便性を向上させることができる。一方、火災時においては、熱膨張性耐火材が熱で膨張して隙間を確実に塞ぐことによって、耐火性能を確保することができる。
【００１０】
また、本発明の遮蔽装置では、前記案内板が鋼板から形成され、前記延出片が一体成形されていることが好ましい。
このような構成によれば、延出片を一体成形した案内板を鋼製とすることで、熱による案内板の溶融を防止して延出片に取り付けた熱膨張性耐火材を確実に保持することができる。また、案内板を鋼製として収納箱体自体の耐火性能を確保することで、端板を樹脂製とすることができ、加工性や組立性を良好に維持させて製造コストの増加を抑制することができる。
【００１１】
一方、本発明の建具は、外壁開口部に設けられる枠体と、この枠体に支持される面材とを備え、前記いずれかの遮蔽装置が屋外側に設けられたことを特徴とする。
このような構成によれば、前述の遮蔽装置と同様に、加工性や組立性を損なうことなく安価かつ簡便な構造によって耐火性能を向上させることができる。
【図面の簡単な説明】
【００１２】
【図１】本発明の実施形態に係る建具を示す縦断面図である。
【図２】前記建具を示す横断面図である。
【図３】前記建具に設けられる遮蔽装置の一部を示す縦断面図である。
【図４】前記遮蔽装置の要部を屋外側上方から見た斜視図である。
【図５】前記遮蔽装置の要部を屋内側下方から見た斜視図である。
【図６】前記遮蔽装置の要部を屋外側から見た縦断面図である。
【発明を実施するための形態】
【００１３】
以下、本発明の実施形態を図面に基づいて説明する。
図１、図２において、本実施形態の建具である引違い窓１は、戸建て住宅等の建物における外壁Ｗの開口部に設けられるものであって、枠体としての窓枠２と、面材としての室内外一対の障子３とを備え、その屋外側に遮蔽装置としての外部シャッター１０が設けられている。窓枠２は、上枠２Ａ、下枠２Ｂおよび左右の縦枠２Ｃを四周枠組みして構成されている。外部シャッター１０は、外壁Ｗに固定される遮蔽枠体としてのシャッター枠１１と、このシャッター枠１１に上下開閉自在かつ上方に巻き上げ収容可能に支持される遮蔽面材としてのシャッター面材１２と、開放したシャッター面材１２を収納する収納箱体としてのシャッターケース１３と有して構成されている。
【００１４】
シャッター枠１１は、上枠２Ａの上方に位置するシャッター上枠１４と、下枠２Ｂの下方に位置するシャッター下枠１５と、左右の縦枠２Ｃの見付け方向外側に位置する左右のシャッター縦枠１６と、上枠２Ａの上側かつシャッター上枠１４の下方にて左右のシャッター縦枠１６間に架設されるまぐさ１７とを有して構成され、これらのシャッター上枠１４、シャッター下枠１５、シャッター縦枠１６およびまぐさ１７が外壁Ｗに固定されている。そして、シャッター上枠１４、まぐさ１７およびシャッター縦枠１６と、これらの前面に取り付けられる前面パネル１８と、シャッター縦枠１６の上端部に取り付けられる端板としての側面パネル１９と、によってシャッターケース１３が構成されている。このシャッターケース１３は、その下方であるまぐさ１７と前面パネル１８との間に挿通口２０を有し、この挿通口２０に挿通させて巻き上げたシャッター面材１２を収納するようになっている。
【００１５】
シャッター面材１２は、複数のスラット２１を上下に連結するとともに、最下部のスラット２１に座板２２を連結して構成され、シャッターケース１３内部の回転ドラム２３に巻き取られて収納され、この収納された状態で開放されるようになっている。さらに、シャッター面材１２は、一対の枠材である左右のシャッター縦枠１６に設けられた案内レール１６１に案内されて上下開閉可能とされ、シャッター下枠１５に設けたシャッター錠１５１に座板２２が係合されることで、窓枠２および障子３の屋外側を覆って閉鎖されるようになっている。
【００１６】
案内レール１６１は、図２に示すように、見付け方向内側に開口した断面略コ字形に形成され、屋内外方向に対向する屋内側案内片１６２と屋外側案内片１６３とを有して形成されている。また、案内レール１６１の一端部である上端部は、シャッターケース１３内部に挿入され、つまり挿通口２０を形成するまぐさ１７および前面パネル１８の端縁よりも上方まで延びて設けられている。さらに、屋外側案内片１６３の上端部には、屋内側案内片１６２から離れる屋外側に向かって曲げ加工された曲面部１６４が形成され、この曲面部１６４でシャッター面材１２を案内することで回転ドラム２３にスムーズに巻き取らせるように構成されている。また、案内レール１６１の内部には、その長手方向（上下方向）に沿って鋼製の補強材１６５が設けられている。
【００１７】
図３〜図６にも示すように、シャッターケース１３の内部において、シャッター縦枠１６の上端部および側面パネル１９の内面には、回転ドラム２３の軸を支持する支持部材２４と、巻き取るスラット２１の側端縁に当接して横ずれを防止する案内板としての第１スラットガイド２５および第２スラットガイド２６とが設けられている。第１および第２のスラットガイド２５，２６は、それぞれメッキ鋼板等から折り曲げ加工によって形成され、シャッター縦枠１６や側面パネル１９にビス止め固定されている。第１スラットガイド２５は、支持部材２４の屋内側の略半周を囲むとともに、支持部材２４の下側から屋外側に向かって延びて設けられ、第２スラットガイド２６は、支持部材２４の屋外側の略半周を囲んで設けられ、これら第１および第２のスラットガイド２５，２６によって、シャッターケース１３における内部側面の大半の部分が構成されている。
【００１８】
第１スラットガイド２５は、側面パネル１９と略平行（見込み方向かつ上下方向に沿った平面に略平行）な案内面としてのガイド面２５１と、このガイド面２５１の一部であり支持部材２４の下側から屋外側に延びる延出ガイド面２５２と、この延出ガイド面２５２の下端縁から側面パネル１９側かつ下方に傾斜して延びる傾斜面２５３と、この傾斜面２５３の下端縁よりもさらに下方に延びる延出片２５４とを有して形成されている。すなわち、延出片２５４は、ガイド面２５１よりも見付け方向外側に位置して挿通口２０に向かって延びて形成されるとともに、案内レール１６１の上端部と近接して設けられている。さらに、延出片２５４は、案内レール１６１における屋内側案内片１６２よりも屋内側から屋外側案内片１６３の曲面部１６４よりも屋外側までの見込み寸法を有するとともに、曲面部１６４先端高さ位置よりも下方まで延びて形成され、曲面部１６４の側方に所定の隙間を介して設けられている。このような延出片２５４の表面（シャッターケース１３の内部側表面であり、曲面部１６４との隙間側の表面）には、熱膨張性耐火材２７が取り付けられている。
【００１９】
熱膨張性耐火材２７は、火災の熱によって膨張する各種の耐火材料が利用可能であり、樹脂やゴム等を原材料とするものや金属や炭素等を原材料とするものなどが例示できる。このような耐火材２７は、常時の状態から加熱されることで、体積比で十数倍から数十倍に膨張し、膨張することによって案内レール１６１の上端部を閉塞させるとともに、その屋内外の案内片１６２，１６３とスラット２１との隙間や、第１スラットガイド２５とスラット２１との隙間、スラット２１に沿った挿通口２０端部の隙間等を閉塞させることができるようになっている。従って、膨張した耐火材２７が案内レール１６１の上端部の周囲を覆うことで、火災の火炎が側面パネル１９におけるシャッターケース１３の内部側に進入することが防止できるようになっている。さらに、側面パネル１９やスラットガイド２５，２６の一部、案内レール１６１の一部が熱で溶融したとしても、これらの部材が溶融して欠損した部分を耐火材２７で閉塞できるので、側面パネル１９におけるシャッターケース１３への火炎の進入を確実に防止することできる。
【００２０】
このような本実施形態によれば、以下のような効果がある。
すなわち、第１スラットガイド２５の一部を折り曲げて延出片２５４を形成し、この延出片２５４に熱膨張性耐火材２７を取り付けておくことで、火災時に火炎がシャッターケース１３の内部に進入することを確実に防止することができる。従って、側面パネル１９やスラットガイド２５，２６、案内レール１６１等の全てを融点の高い材料から形成しなくてもよく、比較的安価かつ簡便な構造によって確実に耐火性能を向上させることができる。また、通常の使用状態においては、第１スラットガイド２５のガイド面２５１よりも見付け方向外側に熱膨張性耐火材２７が位置することから、この耐火材２７がシャッター面材１２の開閉に干渉することがなく、良好な開閉操作性を確保することができる。
【００２１】
なお、本発明は、前記実施形態に限定されるものではなく、本発明の目的を達成できる他の構成等を含み、以下に示すような変形等も本発明に含まれる。
例えば、前記実施形態において、建具の一例としての引違い窓１を例示したが、本発明の建具は、引違い窓１に限らず、片引き窓や上げ下げ窓などの各種開閉形式を有する窓でもよい。
また、前記実施形態において、遮蔽装置として外部シャッター１０を有する建具について説明したが、遮蔽装置としては、外部シャッター１０に限らず、電動シャッターや、外部ブラインド、雨戸などであってもよい。
【００２２】
また、前記実施形態では、案内板として、第１スラットガイド２５および第２スラットガイド２６を用い、第１スラットガイド２５に延出片２５４を形成したが、これに限らず、案内板を１個のスラットガイドで構成してもよいし、３個以上のスラットガイドで構成してもよい。さらに、第２スラットガイド２６に延出片２５４を形成してもよい。
さらに、案内板（スラットガイド２５，２６）としては、メッキ鋼板等から形成されるものに限らず、その他の各種金属材料から形成されてもよいし、樹脂材料から形成されてもよい。すなわち、前述のように熱膨張性耐火材２７によって挿通口２０の開口が閉塞されることから、シャッターケース１３の内部への火炎の進入が阻止できるので、案内板自体が融点の低い材質から形成されていたとしても、その溶融を防止または抑制させることができ、これにより案内板の材質の選択肢を拡大することができる。
【００２３】
また、前記実施形態では、上枠２Ａ、下枠２Ｂおよび左右の縦枠２Ｃを四周枠組みして窓枠２を構成した引違い窓１の屋外側に、シャッター上枠１５とシャッター下枠１７とシャッター縦枠１６とまぐさ１７とを枠組みしてシャッター枠１１を構成した外部シャッター１０が設けられているが、これに限らず、上枠とまぐさ、下枠とシャッター下枠、縦枠とシャッター縦枠とを一体のもので構成してもよい。
【００２４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００２５】
１…引違い窓（建具）、２…窓枠（枠体）、３…障子（面材）、１０…外部シャッター（遮蔽装置）、１１…シャッター枠（遮蔽枠体）、１２…シャッター面材（遮蔽面材）、１３…シャッターケース（収納箱体）、１６…シャッター縦枠（枠材）、１９…側面パネル（端板）、２０…挿通口、２５，２６…スラットガイド（案内板）、２７…熱膨張性耐火材、１６１…案内レール、２５４…延出片、Ｗ…外壁。
【図１】
0005478551.tif 000002
【図２】
0005478551.tif 000003
【図３】
0005478551.tif 000004
【図４】
0005478551.tif 000005
【図５】
0005478551.tif 000006
【図６】
0005478551.tif 000007